(57)【要約】【課題】オペレータの熟練度が上がるにつれてメンテナンスに費やす時間を更新し、スケジューリング時のトータル出力時間に反映する。【解決手段】サーバーとユーザーと複数の画像形成装置が通信媒体で接続されている画像形成システムで、直接ジョブを入力する入力手段と、ジョブ出力手段と、画像形成装置の状態を監視する監視手段と、ユーザー側に表示部と、メンテ項目と処理時間を保持する記憶部と、画像形成装置のトータル出力時間を計算する演算部と、メンテナンスが生じた時にユーザーがメンテナンスを開始してから終了するまでの時間を検知する復帰時間検出部と、保持しているメンテナンス処理時間と異なる場合にメンテナンス処理時間を書き換えることを特徴とする。【選択図】        図１
2004326159.tif 000002
【特許請求の範囲】
【請求項１】
サーバーコンピュータとユーザーコンピュータと、複数の画像形成装置とを通信媒体を介して接続される画像形成システムにおいて、
前記ユーザーコンピュータまたは前記サーバーコンピュータに直接ジョブを入力するジョブ入力手段と、
前記入力されたジョブを前記通信媒体を介して前記画像形成装置に出力するジョブ出力手段と、
前記複数の画像形成装置の状態を監視する前記サーバーコンピュータ内の装置監視手段と、
前記サーバーコンピュータで処理した内容を表示するユーザーコンピュータに付属する表示部と、
前記複数の画像形成装置のメンテナンス項目とメンテナンスに費やす処理時間のデータを保持する前記サーバーコンピュータ内の記憶部と、
前記ジョブのトータル出力時間を前記メンテナンスに費やす処理時間とジョブの出力枚数から計算する前記サーバーコンピュータ内の演算部と、
前記サーバーコンピュータは前記複数の画像形成装置のうち少なくとも１つの画像形成装置でメンテナンスが生じた場合に、ユーザーがメンテナンスを開始してから終了するまでの時間を検出する復帰時間検出部と、
前記保持しているメンテナンス処理時間と異なった時に前記メンテナンス処理時間を書換え、保持することを特徴とした画像形成システム。
【請求項２】
メンテナンス開始からメンテナンス終了の測定はサーバーがユーザーからメンテナンス開始通知を受け取ってから、ユーザーから終了通知を受け取るまでの時間とすることを特徴とした請求項１に記載の画像形成システム。
【請求項３】
サーバーコンピュータは、メンテナンスの処理時間が保持している値と異なた時にトータル出力時間を再計算し、前記表示部に計算結果を表示することを特徴とした請求項１に記載の画像形成システム。
【請求項４】
メンテナンスの処理時間が保持している値より長い場合には保持している値は書換えないことを特徴とした請求項１に記載の画像形成システム。
【発明の詳細な説明】
【０００１】
【発明の属する技術分野】
本発明は、画像形成装置及び複数の画像形成装置を制御する画像形成システムに関し、その詳細には複数の画像形成装置のメンテナンス順を制御する画像形成システムに関する。
【０００２】
【従来の技術】
従来、複数のプリンタと複数のコンピュータを通信媒体を経由し接続したシステムがある。この場合、ユーザーは其々のパソコン上からプリンタドライバを用いて自由にプリンタを選択し、プリントをすることが可能である。
【０００３】
また、サーバー、クライアント方式のように、クライアントのジョブがサーバーを経由してプリンタに出力される方式がある。
【０００４】
近年は、プリント・オン・デマンドと呼ばれる市場で、大量のページのドキュメントをプリントしたり、大量部数のプリントをし後処理等も行うようなケースが増えている。コピーセンターのように複数のクライアントから複写依頼を受け専任のオペレータが複写作業を行うような複写請負業務が拡大しつつある。
【０００５】
依頼時はクライアントが直接原稿を持ってきたり、フロッピー（Ｒ）ディスク等の記録メディアに電子ファイル化した原稿を保存してあるものを渡したり、ネットワークを通じてセンターへ送ることで、コピーセンター側では複写原稿を受け取る。その他に、コピー枚数や用紙サイズ、後処理、受け渡し時間等の設定を依頼者に記入用紙に直接記入してもらったり、コピーセンター側にインターネット上に入力画面を用意してそこへ記入して送信してもらうことで、設定情報を入手する。
【０００６】
コピーセンターのオペレータは原稿と設定情報を入手すると、原稿を電子ファイル形式で得た場合はそのままサーバーにジョブとして送り、紙原稿の場合は画像入力装置によって原稿をデータ化してからサーバーに送る。そして設定情報に従いプリンタの設定を行いサーバーにプリンタ出力予約を行なう。
【０００７】
専任のオペレータは複数台のプリンタに対してジョブの設定やメンテナンスを行っており、紙無しや部品交換の必要が生じるとすぐに処理を行なう。また、オペレータは一日のジョブ処理スケジューリングも行い、クライアントが望む時間までにジョブを完了するように設定を行う。このとき、大量のプリントでは画質を落とさないように気をつけなければならず、途中で部品の交換等を行う必要がある。高速なプリンタであればあるほど部品の磨耗は激しくなり、頻繁に交換を行う必要がある。このため、出力時間を計算する時は途中で生じる紙補給や部品交換の時間も考慮しなくてはならず、ジョブの管理を行うサーバーでは処理枚数から紙補給回数等を計算してトータルの出力時間を算出する。
【０００８】
【発明が解決しようとする課題】
専任のオペレータは熟練度によって、メンテナンスに費やす時間が異なり、訓練をうけたばかりの初心者レベルではローラー交換などの複雑な作業には時間がかかってしまい、通常予定していた出力時間をオーバーしてしまう恐れがある。そのため、サーバーに保持しているメンテナンス時間は長めに設定しておかなくてはならない。
【０００９】
しかし、複数回の部品交換を行うことでオペレータの熟練度は上がり、メンテナンスに費やす時間は次第に短くなっていく。ここで、サーバーに保持されている時間でスケジューリングを行うと無駄に長い時間で計算され、実力で処理できる枚数よりも少ない処理で一日のジョブを終えることになりえる。特に高速機では、１分あたりの出力枚数が１００枚以上であり、数分の空き時間があればジョブを追加可能であるため、正確に出力時間をオペレータに知らせる必要がある。
【００１０】
【課題を解決するための手段】
上記の課題を解決するため、本発明の請求項１によれば、サーバーコンピュータとユーザーコンピュータと、複数の画像形成装置とを通信媒体を介して接続される画像形成システムにおいて、前記ユーザーコンピュータまたは前記サーバーコンピュータに直接ジョブを入力するジョブ入力手段と、前記入力されたジョブを前記通信媒体を介して前記画像形成装置に出力するジョブ出力手段と、前記複数の画像形成装置の状態を監視する前記サーバーコンピュータ内の装置監視手段と、前記サーバーコンピュータで処理した内容を表示するユーザーコンピュータに付属する表示部と、前記複数の画像形成装置のメンテナンス項目とメンテナンスに費やす処理時間のデータを保持する前記サーバーコンピュータ内の記憶部と、前記ジョブのトータル出力時間を前記メンテナンスに費やす処理時間とジョブの出力枚数から計算する前記サーバーコンピュータ内の演算部と、前記サーバーコンピュータは前記複数の画像形成装置のうち少なくとも１つの画像形成装置でメンテナンスが生じた場合に、ユーザーがメンテナンスを開始してから終了するまでの時間を検出する復帰時間検出部と、前記保持しているメンテナンス処理時間と異なった時に前記メンテナンス処理時間を書換え、保持することを特徴とした画像形成システムを提供する。
【００１１】
この画像形成システムにより、オペレータの熟練度に従って出力時間が計算され、プリンタの実力を十分に生かしたスケジューリングを行うことが可能となる。
【００１２】
また、請求項２にのようにメンテナンス開始と終了の通知をユーザーに行わせることで間違った時間を測定することがなくなる。
【００１３】
さらに、請求項３のようにトータル時間を再計算することによって、現在行っているジョブの出力時間の増減量がわかり、１日のジョブの追加・削除が行いやすくなる。
【００１４】
また、請求項４のようにメンテナンスにかかった時間が長かった場合は何らかのトラブルによるメンテナンスの時間を無視することができる。
【００１５】
【発明の実施の形態】
以下，本発明の実施の形態例を図面に基づいて具体的に説明する。
【００１６】
図１は本発明の実施の形態に係る画像形成システムの全体構成を示す概念図である。本発明の第１の実施の形態に係る画像形成システムは、情報処理装置としての、ドキュメントサーバコンピュータ（以下ドキュメントサーバ）１０１、クライアントコンピュータ（以下クライアント）１０２ａ，１０２ｂ、画像処理装置としての、白黒プリンタ１０３ａ，１０３ｂ、カラープリンタ１０３ｃ等の画像出力装置（以下プリンタ）、スキャナ１０４等の画像入力装置を備えている。各サーバー、クライアント、画像入力装置、画像出力装置はネットワーク１０５で接続されている。
【００１７】
クライアント１０２ａ、１０２ｂはドキュメントサーバ１０１にジョブを送るクライアントである。詳しく区分すると、１０２ａはＰＯＤセンターのオペレータレベルの管理者であり、１０２ｂはＰＯＤセンターのクライアントのような一般ユーザーである。図示されていないが一般ユーザーはこれらのほかにも多数接続されていてもよい。ただし、一般ユーザー１０２ｂの場合は後に述べるサーバー内のジョブやデータの操作は禁止されており、サーバー内のデータも閲覧不可能とし、サーバーに対してはジョブの送信のみ可能である。各ユーザーコンピュータ１０２ａ，ｂ上には表示部があり、ジョブの作成やサーバー１０１への送信時のプリンタ設定画面等が表示される。
【００１８】
ドキュメントサーバ１０１は、画像出力装置（１０３ａ，１０３ｂ，１０３ｃ）にてシート上に像形成すべき各クライアント等の情報処理装置からのジョブデータを、各ジョブ毎に互いに区別可能に記憶管理している。プリンタはこの他にも多数接続可能であるが、本実施例では１０３ａ〜ｃの３台が接続されている。
【００１９】
また、スキャナ１０４は、紙ドキュメントからの画像イメージを取り込む装置で、ネットワークを介してサーバーへ読み込んだ画像を送信できる。
【００２０】
クライアントコンピュータ１０２ａ〜ｂ上では、いわゆるＤＴＰ（Ｄｅｓｋ  Ｔｏｐ  Ｐｕｂｌｉｓｈｉｎｇ）を実行するアプリケーションソフトウェアを動作させ、各種文書／図形が作成／編集される。クライアントコンピュータ１０２ａ〜ｂは作成された文書／図形をページ記述言語（Ｐａｇｅ  Ｄｅｓｃｒｉｐｔｉｏｎ  Ｌａｎｇｕａｇｅ）に変換し、ネットワーク１０５を経由してプリンタ１０３ａ〜ｃでプリントアウトされる。
【００２１】
プリンタ１０３ａ〜ｃは、それぞれ、ドキュメントサーバ１０１とネットワーク１０５を介して情報交換できる通信手段を有しており、プリンタ１０３ａ〜ｃの情報や状態をドキュメントサーバ１０１、或いはそれを経由してオペレータ１０２ａ側に逐次知らせる仕組みとなっている。更に、ドキュメントサーバ１０１（或いはオペレータ１０２ａ）は、その情報を受けて動作するユーティリティソフトウェアを持っており、プリンタ１０３ａ〜ｃはドキュメントサーバ１０１（或いはオペレータ１０２ａ）により管理される。
【００２２】
次に、図２〜図４を用いてプリンタ１０３ａ〜ｃの構成について説明する。但し、画像出力装置１０３ａ，ｂと１０３ｃの差は白黒機器とフルカラー機器の差であり、色処理以外の部分ではフルカラー機器が白黒機器の構成を包含することが多いため、本実施形態ではフルカラー機器に絞って説明し、必要に応じて、随時白黒機器の説明を加えることとする。
【００２３】
図２はネットワーク１０５経由で送られてきたデータの処理フローを示した図である。ネットワーク１０５から送られてきたデータはＩ／Ｆ部２０１から入力され、プリンタＩＰ部２０２、ＰＷＭ部２０３を経由してプリンタ部２０４で記録用紙にプリントされる。プリンタ部２０４でプリントアウトされた記録用紙はフィニッシャ部２０５へ送り込まれ、シートの仕分け処理やシートの仕上げ処理が行われる。
【００２４】
プリンタＩＰ部２０２では画像データをイエロー（Ｙ）、マゼンタ（Ｍ）、シアン（Ｃ）、ブラック（Ｋ）の４色に色分解し、さらにデータに補正をかけてＰＷＭ部へ送る。
【００２５】
４色の画像データはそれぞれのＰＷＭ部２０３を通ってそれぞれ画像形成される。ＰＷＭ変換されたデータは図示しないレーザ駆動部に送られ、ＣＭＹＫそれぞれが、ＣＭＹＫそれぞれのレーザでレーザビームに変換される。
【００２６】
そして、ポリゴンスキャナ９１３で、それぞれのレーザビームを走査して、それぞれの感光ドラム９１７、９２１、９２５、９２９に照射される。
【００２７】
図３にサーバー１０１内部の簡略図を示す。Ｉ／Ｆ部３０１で外部との通信を行い、処理部３０２では、記憶部３０３で保持しているデータを読み出し、演算部３０４で演算処理等を行うように指示を出し、またＩ／Ｆ部から外部へ送るデータを生成する。
【００２８】
図４ａにカラープリンタ部の内部構造を表す構成図を示す。９１３は、ポリゴンミラーであり、図示しない４つの半導体レーザより発光された４本のレーザ光を受ける。その内の１本はミラー９１４、９１５、９１６をへて感光ドラム９１７を走査し、次の１本はミラー９１８、９１９、９２０をへて感光ドラム９２１を走査し、次の１本はミラー９２２、９２３、９２４をへて感光ドラム９２５を走査し、次の１本はミラー９２６、９２７、９２８をへて感光ドラム９２９を走査する。
【００２９】
一方、９３０はイエロー（Ｙ）のトナーを供給する現像器であり、レーザ光に従い、感光ドラム９１７上にイエローのトナー像を形成し、９３１はマゼンタ（Ｍ）のトナーを供給する現像器であり、レーザ光に従い、感光ドラム９２１上にマゼンタのトナー像を形成し、９３２はシアン（Ｃ）のトナーを供給する現像器であり、レーザ光に従い、感光ドラム９２５上にシアンのトナー像を形成し、９３３はブラック（Ｋ）のトナーを供給する現像器であり、レーザ光に従い、感光ドラム９２９上にマゼンタのトナー像を形成する。以上４色（Ｙ、Ｍ、Ｃ、Ｋ）のトナー像がシートに転写され、フルカラーの出力画像を得ることができる。
【００３０】
給紙カセット９３４、９３５のいずれかより給紙された記録用紙は、レジストローラ９３７を経て、転写ベルト９３８上に吸着され、搬送される。給紙のタイミングと同期がとられて、予め感光ドラム９１７、９２１、９２５、９２９には各色のトナーが現像されており、記録用紙の搬送と共に、トナーが記録用紙に転写される。各色のトナーが転写された記録用紙は、分離され、搬送ベルト９３９により搬送され、定着器９４０によって、トナーが記録用紙に定着される。定着器９４０を抜けた記録用紙はフラッパ９５０により一旦下方向へ導かれて記録用紙の後端がフラッパ９５０を抜けた後、スイッチバックさせて排出する。これによりフェイスダウン状態で排出され、先頭頁から順にプリントしたときに正しいページ順となる。
【００３１】
尚、４つの感光ドラム９１７、９２１、９２５、９２９は、距離ｄをおいて等間隔に配置されており、搬送ベルト９３９により、記録用紙は一定速度ｖで搬送されており、このタイミング同期がなされて、図示しない４つの半導体レーザは駆動される。
【００３２】
給紙カセットは本体標準装備のカセット段９３４，９３５とオプションとして大容量のサイドデッキ９７１を装着可能である。本実施例では１０３ａ，ｂはサイドデッキが装着されているが１０３ｃは装着されていない。給紙段の選択は自動又はプリンタドライバから手動で設定でき、装置によってはプリント中に１つの給紙段の記録用紙がなくなると自動的に同じサイズの記録用紙が格納されている給紙段に切り替わる、オートカセットチェンジ機能を持っている。また、ＯＨＰや小サイズ等の特殊用紙を給紙するマルチトレイ９３６も装着することが出来る。
【００３３】
図４ｂにフィニッシャ部２０５の内部構造を表す構成図を示す。プリンタの定着部９４０を出たシートは、フィニッシャ部に入る。フィニッシャ部２０５には、サンプルトレイ１１０１及びスタックトレイ１１０２があり、ジョブの種類や排出される記録用紙の枚数に応じて切り替えて排出される。
【００３４】
ソート方式には２通りあり、複数のビンを有して各ビンに振り分けるビンソート方式と、後述の電子ソート機能とビン又はトレイ）を奥手前方向にシフトしてジョブ毎に出力シートを振り分けるシフトソート方式によりソーティングを行うことができる。電子ソート機能は、コレートと呼ばれ、上述のコア部で説明した大容量メモリを持っていれば、このバッファメモリを利用して、バッファリングしたページ順と排出順を変更する、いわゆるコレート機能を用いることで電子ソーティングの機能もサポートできる。次に、グループ機能は、ソーティングがジョブ毎に振り分けるのに対し、ページ毎に仕分けする機能である。
【００３５】
更に、スタックトレイ１１０２に排出する場合には、シートが排出される前のシートをジョブ毎に蓄えておき、排出する直前にステープラ１１０５にてバインドすることも可能である。
【００３６】
そのほか、上記２つのトレイに至るまでに、紙をＺ字状に折るためのＺ折り機１１０４、ファイル用の穴開けを行うパンチャ１１０６があり、ジョブの種類に応じてそれぞれの処理を行う。
【００３７】
更に、サドルステッチャ１１０７は、シートの中央部分を２ヶ所バインドした後に、記録用紙の中央部分をローラーに噛ませることにより記録用紙を半折りし、週刊誌やパンフレットのようなブックレットを作成する処理を行う。サドルステッチャ１１０７で製本された記録用紙は、ブックレットトレイ１１０８に排出される。
【００３８】
そのほか、図には記載されていないが、製本のためのグルー（糊付け）によるバインドや、或いはバインド後にバインド側と反対側の端面を揃えるためのトリマー（裁断機）などを加えることも可能である。
【００３９】
次に図５でクライアント１０２ａ，ｂにおけるジョブの設定画面について説明する。
【００４０】
プリンタドライバは、プリント動作を指示するためのＧＵＩであり、これで指示することにより、クライアントは所望の設定パラメータを指示して、所望の画像イメージをプリンタなどの送信先に送ることが可能となる。
【００４１】
ここで、５０１はプリンタドライバのウィンドウであり、その中の設定項目として、５０２はターゲットとなる出力先を選択する送信先選択カラムである。一般的には上述の画像出力装置１０３ａ〜ｃである。５０４はジョブの中から出力ページを選択するページ設定カラムであり、コンピュータ１０２ａ，ｂから送信される画像イメージのどのページを出力するかを決定する。５０５は部数を指定する部数設定カラムである。５０６はソートの順を選択できる。
【００４２】
また、５０３は送信先選択カラム５０２にて選択された送信先デバイスに関する詳細設定を行うためのプロパティキーであり、ここをクリックすると別画面にてそのデバイス固有の設定情報を入力し、特殊な画像処理、例えば、プリンタＩＰ部２０２内のパラメータを変更することにより、より細かい色再現やシャープネス調整を行うことが可能となり、後処理装置のステイプル設定等が可能であり、その他出力時間等の特記項目を書くことが可能である。
【００４３】
所望の設定が済めば、確認キー５０７により印刷を開始する。取り消す場合には、取消キー５０８により印刷を取りやめる。
【００４４】
画像入力装置１０４により画像データを取り込み、画像出力装置１０３ａ〜ｃでプリントする場合でも、画像入力装置１０４上又はオペレータ１０２ａの画面上に同様のスキャナドライバが表示され設定することで、サーバー１０１に画像データが送信される。
【００４５】
サーバー１０１ではクライアント１０２ａ，ｂ又は画像入力装置１０４から送信されてきた画像データと設定情報からプリンタ１０３ａ〜ｃに対してジョブリストを作成する。図５の５０９ボタンは設定されたプリンタのジョブ一覧を表示させるボタンで、図６がサーバーで作成したプリンタ１０３ａのジョブリストである。６０１はジョブ一覧のウインドウ、６０２はジョブの一覧テーブルで、プリンタに設定されているジョブ内容を表示する。６０６はジョブのトータル出力時間を表示する。この場合は６０６はジョブＮｏ．１とＮｏ．２の足し算となり、１７５ｍｉｎとなる。６０３は設定されているジョブを削除するボタン、６０４はウインドウを閉じるボタン、６０５はオペレータがジョブの間にメンテナンスが必要であると判断した時にメンテナンスを追加するボタンである。
【００４６】
ジョブの追加したい位置をマウス等で選択し、６０５のボタンを押すと、図７のメンテナンス項目一覧を表示するウインドウ７０１が開き、７０２のメンテナンステーブルが表示される。テーブル７０２はメンテナンスコードや作業時間等が表示されている。追加したい項目を選び追加ボタン７０４を押すことで追加される。追加しない場合は閉じるを選択する。
【００４７】
例えば図６の６０２上のＮｏ．１とＮｏ．２の間にメンテナンス項目のＭ１ａ０４のレジＣＬ交換を追加した場合、追加後のジョブリストは図８の様になる。この時トータル出力時間は８０６の様にＭ１ａ０４の作業時間が足し算され２０５ｍｉｎとなる。
【００４８】
図９ａは、メンテナンス項目を追加前のプリンタ１０３ａのジョブ内容の時間変化を示しており、図９ｂはメンテナンス項目追加後のプリンタ１０３ａのジョブの時間変化を示している。メンテナンスＭ１ａ０４がオペレータによって追加された項目で、それによってジョブのトータル出力時間が変化している。
【００４９】
プリンタ１０３ａは決められたジョブの順にプリント動作を行う。ＪＯＢ００２が終了し、メンテナンスＭ１ａ０４を行う時にはサーバー１０１はオペレータの表示部に対し、図１０ａのようなメンテナンス開始ウインドウ１００１を表示させる。ウインドウ１００１にはオペレータがメンテナンス開始する時に押す開始ボタン１００２があり、押すと図１０ｂのようなメンテナンス終了ウインドウ１００３が開く。このウインドウ１００３にはメンテナンス終了時にオペレータが押す終了ボタン１００４と開始ボタン１００２が押されてからの経過時間１００５とメンテナンステーブル上の作業時間が目標時間１００６として表示される。
【００５０】
図１２に本発明のフローチャートを示す。サーバー１０１がオペレータの表示部に対し、メンテナンス指示表示を行う（Ｓ２００１）と、オペレータが開始ボタン１００２を押すまで待機する（Ｓ２００２）。開始ボタン１００２が押されると、オペレータはメンテナンスを開始したとサーバー１０１は判断し、時間測定を開始する（Ｓ２００３）。オペレータはメンテナンスが終了すると終了ボタン１００４を押すことでサーバー１０１に終了通知を送り（Ｓ２００４）サーバー１０１は終了通知を受け取ったことでメンテナンス終了と判断し時間測定を終了する（Ｓ２００５）。このときの測定時間とサーバー１０１上で保持されているメンテナンス処理時間を比較し（Ｓ２００６）、保持されている時間よりも測定時間が長い時は、途中で何らかのトラブルが発生したと考え、オペレータの熟練度は下げないように処理され、そのまま終了する（Ｓ２０１１）。短い時はサーバー１０１のメンテナンスの保持時間を今回測定した時間に変更し（Ｓ２００７）、現在のジョブスケジュール表からメンテナンスコード検索を行い、同じメンテナンスが有るか検索する（Ｓ２００８）。無い時はそのまま終了し（Ｓ２０１１）、有る時はジョブトータル時間を再計算し（Ｓ２００９）、表示部のトータル時間を変更し（Ｓ２０１０）、終了する（Ｓ２０１１）。
【００５１】
図１１ａはメンテナンスを行う前のメンテナンステーブル値で、図１１ｂは本実施例でレジＣＬ交換に費やした時間が１５ｍｉｎであった場合に図１２のＳ２００７でメンテナンス時間を変更した後のメンテナンステーブルである。Ｍ１ａ０４のレジクラッチ交換の作業時間が１５ｍｉｎに変更する。
【００５２】
【発明の効果】
以上詳細に説明したように、オペレータが熟練度をあげるに従い、メンテナンスの処理時間が短くなる為、次回のメンテナンス時に処理時間に反映され、より実際のメンテナンス時間に近い出力時間が計算されるので、プリンタの実力を十分に生かしたスケジューリングを行うことが可能となる。
【図面の簡単な説明】
【図１】本発明の実施の形態の画像形成装置及び画像形成システムの全体構成を表す概略図である。
【図２】本発明の実施の形態の画像形成装置の全体構成を表すブロック図である。
【図３】本発明の実施の形態のサーバー内部の構成を示すブロック図である。
【図４】ａは本発明の実施の形態の画像形成装置（カラープリンタの場合）のプリンタ部内部構成を示す構成図である。
ｂは本発明の実施の形態の画像形成装置の後処理装置部内部構成を示す構成図である。
【図５】本発明の実施の形態のクライアント表示部のプリンタ設定画面例の詳細を示す説明図である。
【図６】本発明の実施の形態のクライアント表示部のプリンタ１０３ａに設定したジョブの一覧を示す画面を示す説明図である。
【図７】本発明の実施の形態のクライアント表示部のプリンタ１０３ａのメンテナンステーブルを示す画面を示す説明図である。
【図８】本発明の実施の形態のメンテナンス追加後のクライアント表示部のプリンタ１０３ａに設定したジョブの一覧を示す画面を示す説明図である。
【図９】ａは本発明の実施の形態のメンテナンス追加前のプリンタ１０３ａのジョブの流れを示した説明図である。ｂは本発明の実施の形態のメンテナンス追加後のプリンタ１０３ａのジョブの流れを示した説明図である。
【図１０】ａは本発明の実施の形態のクライアント表示部のメンテナンス開始を促す画面を示す説明図である。ｂは本発明の実施の形態のクライアント表示部のメンテナンス中の画面を示す説明図である。
【図１１】ａは本発明の実施の形態のメンテナンス前のメンテナンス一覧を示す表である。ｂは本発明の実施の形態のメンテナンス後のメンテナンス一覧を示す表である。
【図１２】本発明の実施の形態のフローチャートである。
【符号の説明】
１０１  サーバーコンピュータ
１０２ａ，ｂ  クライアントコンピュータ
１０３ａ，ｂ  白黒プリンタ
１０３ｃ  カラープリンタ
１０４  画像入力装置
１０５  ネットワーク
９１７，９２１，９２５，９２９  感光ドラム
９１３  ポリゴンスキャナ
９１４〜９１６，９１〜９２０，９２２〜９２４，９２６〜９２７  ミラー
９３０〜９３３  現像器
９３４，９３５  給紙カセット
９３６  マルチトレイ
９３７  レジストローラ
９３８  転写ベルト
９３９  搬送ベルト
９４０  定着器
９５０  フラッパ
９７１  サイドデッキ
１１０１  サンプルトレイ
１１０２  スタックトレイ
１１０３  インサータ
１１０４  Ｚ折り機
１１０５  ステープラ
１１０６  パンチャ
１１０７  サドルステッチャ
１１０８  ブックレットトレイ
１１１０  トレイ
５０１  プリンタドライバウインドウ
５０２  送信先選択カラム
５０３  プロパティキー
５０４  ページ選択カラム
５０５  部数設定カラム
５０６  ソート順選択ボタン
５０７  確認キー
５０８  取消キー
５０９  ジョブ一覧選択ボタン
６０１  ジョブ一覧ウインドウ
６０２  ジョブ一覧テーブル
６０３  ジョブ削除ボタン
６０４  ジョブ一覧ウインドウ閉ボタン
６０５  メンテナンス追加ボタン
６０６  メンテナンス追加前のジョブトータル出力時間
７０１  メンテナンス一覧ウインドウ
７０２  メンテナンステーブル
７０３  メンテナンス一覧ウインドウ閉ボタン
７０４  追加ボタン
８０６  メンテナンス追加後のジョブトータル出力時間
１００１  メンテナンス開始ウインドウ
１００２  メンテナンス開始ボタン
１００３  メンテナンス終了ウインドウ
１００４  メンテナンス終了ボタン
１００５  経過時間
１００６  目標時間
【図１】
2004326159.tif 000003
【図２】
2004326159.tif 000004
【図３】
2004326159.tif 000005
【図４】
2004326159.tif 000006
【図５】
2004326159.tif 000007
【図６】
2004326159.tif 000008
【図７】
2004326159.tif 000009
【図８】
2004326159.tif 000010
【図９】
2004326159.tif 000011
【図１０】
2004326159.tif 000012
【図１１】
2004326159.tif 000013
【図１２】
2004326159.tif 000014